(57)【要約】      （修正有）【課題】表裏両面使用できるリバーシブル防寒着であって、雨の日は本体の裏を使用してレインコートの下に着る雨除け効果のリバーシブル加工縫製をしたバイク用防寒着を提供する。【解決手段】上着は頭からスッポリ着脱できる形状で容易に着脱でき、本体の形状も前から袖を通し後ろで合わす形状でありテープに粘着する簡単な着脱加工を用いている。更に雨除けとなる素材を裏側に加工したことで風を防ぐ防寒着の効果が大きく、その雨除けとなる素材を生地と組み合わせ加工したことで雨の日はレインコートと合わせて着ることで雨除けの効果も大きい。リバーシブル防寒着、容易に着脱できる形状と幾つものの効果を狙った形状である表裏両面使えるバイク用防寒着である。【選択図】図１
0003182033.tif 000002
【実用新案登録請求の範囲】
【請求項１】
１レインコート素材と生地を組み合わせたリバーシブル加工雨の日はレインコートと合わせて使用できる防寒着。
【考案の詳細な説明】
【考案の詳細な説明】
【考案が解決しょうとする課題】
【０００１】  表裏両面使用できるリバーシブル防寒着。雨の日は本体の裏を使用してレインコートの下に着る雨除け効果のリバーシブル加工縫製をしたバイク用防寒着である。女性のスカート姿の足隠し男女の薄着姿でも寒さ、風、雨を凌げる加工を施したものである。雨の日は上着を脱いでレインコートの下に着用する形状であるが小雨の場合には十分対応できる。この防寒着の目的は薄着姿の風除け、スカート姿の足隠し、雨除け、着脱が容易にできる形状です。生地と雨除けの素材を組み合わせたオシャレな防寒着であり、レインコートはズボン形状やそれ以外のレインコートが一般的だがズボン形状以外のレインコートは前の部分から雨が隙間から入り込む等衣服を濡らすことがあるそれらをも解消できた、表裏両面使える加工であり防寒着と雨の日はレインコートの下に着る雨除け効果のリバーシブル加工の防寒着である。
【考案を実施するための形態】
【０００２】  容易に着脱できる防寒着、上着は頭からスッポリ着脱できる形状で容易に着脱できる、本体の形状も前から袖を通し後ろで合わす形状でありテープに粘着する簡単な着脱加工を用いている。上着は気候に合わせて着脱できる形状であり、春、秋でも女性はスカート姿の寒さを防げて足を隠す役割をする。一般には薄着姿の寒さ除けとなりオシャレな姿でバイクに乗れる事を解決したものであり、更に雨除けとなる素材を裏側に加工したことで風を防ぐ防寒着の効果が大きい、
その雨除けとなる素材を生地と組み合わせ加工したことで雨の日はレインコートと合わせて着ることで雨除けの効果も大きい、リバーシブル防寒着、容易に着脱できる形状と幾つものの効果を狙った形状である表裏両面使えるバイク用防寒着である。
【考案の効果】
【０００３】  表裏両面使える雨除け効果の防寒着の上着を脱いで本体のみでも防寒着と雨除けの効果がある小降りの雨には十分に雨除けの役目を果たすレインコート効果の防寒着である。
【０００４】  必ずしも上着を着なくても防寒着と雨漏り防止レインコートの役割を果たす加工方法であり上着着用、上着着用なしでもその効果を狙った。
【０００５】  女性のタイトスカートではバイクに乗るときスカートを上にめくる必要があり足が露出する姿となる等その足隠しになる。
【０００６】  一般にはバイクに乗るときは、季節によりポリエステル系統等の上着とズボンを着用している、この防寒着はジーンズ生地等を使用して衣服の上に簡単に着用できるオシャレな防寒着で楽しんで着用できる、薄着姿でも男女兼用で使用できる気候により上着着用、上着なしで気候に合わせて調節できるので春、秋、冬と着用できる便利さがありジーンズ生地を用いれば男女年齢等も問わず着用できる。
【図面の簡単な説明】
【図１】  本考案に係るバイク用防寒着本体の正面図である。
【図２】  本考案に係るバイク用防寒着本体の背面図である。
【図３】  本考案に係るバイク用防寒着の上着正面図である。
【図４】  本考案に係るバイク用防寒着の上着背面図である。
【図５】  本考案に係るバイク用防寒着本体と上着を組み合わせたものである。
【符号の説明】１・・・レインコート素材。
２・・・レインコート素材に生地を合わせ縫製した本体。
３・・・レインコート素材に生地を合わせ縫製した本体の背面にテープを取り付けた。
４・・・生地で作った頭から着脱する上着。
５・・・生地で作った頭から着脱する上着の背面。
６・・・本体と上着を組み合わせた。
【図１】
0003182033.tif 000003
【図２】
0003182033.tif 000004
【図３】
0003182033.tif 000005
【図４】
0003182033.tif 000006
【図５】
0003182033.tif 000007
【手続補正書】
【提出日】平成24年12月4日(2012.12.4)
【手続補正１】
【補正対象書類名】実用新案登録請求の範囲
【補正対象項目名】全文
【補正方法】変更
【補正の内容】
【実用新案登録請求の範囲】
【請求項１】
１裏面をレインコート素材とすることで、リバーシブル着用を可能としたバイク用防寒着。
【手続補正２】
【補正対象書類名】明細書
【補正対象項目名】全文
【補正方法】変更
【補正の内容】
【考案の詳細な説明】
【考案が解決しょうとする課題】
【０００１】  表裏両面使用できるリバーシブル防寒着。雨の日は本体の裏を使用してレインコートの下に着る雨除け効果のリバーシブル加工縫製をしたバイク用防寒着である。女性のスカート姿の足隠し男女の薄着姿でも寒さ、風、雨を凌げる加工を施したものである。雨の日は上着を脱いでレインコートの下に着用する形状であるが小雨の場合には十分対応できる。この防寒着の目的は薄着姿の風除け、スカート姿の足隠し、雨除け、着脱が容易にできる形状です。生地と雨除けの素材を組み合わせたオシャレな防寒着であり、レインコートはズボン形状やそれ以外のレインコートが一般的だがズボン形状以外のレインコートは前の部分から雨が隙間から入り込む等衣服を濡らすことがあるそれらをも解消できた、表裏両面使える加工であり防寒着と雨の日はレインコートの下に着る雨除け効果のリバーシブル加工の防寒着である。
【考案を実施するための形態】
【０００２】  容易に着脱できる防寒着、上着は頭からスッポリ着脱できる形状で容易に着脱できる、本体の形状も前から袖を通し後ろで合わす形状でありテープに粘着する簡単な着脱加工を用いている。上着は気候に合わせて着脱できる形状であり、春、秋でも女性はスカート姿の寒さを防げて足を隠す役割をする。一般には薄着姿の寒さ除けとなりオシャレな姿でバイクに乗れる事を解決したものであり、更に雨除けとなる素材を裏側に加工したことで風を防ぐ防寒着の効果が大きい、
その雨除けとなる素材を生地と組み合わせ加工したことで雨の日はレインコートと合わせて着ることで雨除けの効果も大きい、リバーシブル防寒着、容易に着脱できる形状と幾つものの効果を狙った形状である表裏両面使えるバイク用防寒着である。
【考案の効果】
【０００３】  表裏両面使える雨除け効果の防寒着の上着を脱いで本体のみでも防寒着と雨除けの効果がある小降りの雨には十分に雨除けの役目を果たすレインコート効果の防寒着である。
【０００４】  必ずしも上着を着なくても防寒着と雨漏り防止レインコートの役割を果たす加工方法であり上着着用、上着着用なしでもその効果を狙った。
【０００５】  女性のタイトスカートではバイクに乗るときスカートを上にめくる必要があり足が露出する姿となる等その足隠しになる。
【０００６】  一般にはバイクに乗るときは、季節によりポリエステル系統等の上着とズボンを着用している、この防寒着はジーンズ生地等を使用して衣服の上に簡単に着用できるオシャレな防寒着で楽しんで着用できる、薄着姿でも男女兼用で使用できる気候により上着着用、上着なしで気候に合わせて調節できるので春、秋、冬と着用できる便利さがありジーンズ生地を用いれば男女年齢等も問わず着用できる。
【図面の簡単な説明】
【０００７】
【図１】  本考案に係るバイク用防寒着本体の正面図である。
【図２】  本考案に係るバイク用防寒着本体の背面図である。
【図３】  本考案に係るバイク用防寒着の上着正面図である。
【図４】  本考案に係るバイク用防寒着の上着背面図である。
【図５】  本考案に係るバイク用防寒着本体と上着を組み合わせたものである。
【符号の説明】
【０００８】  １・・・レインコート素材。
２・・・レインコート素材に生地を合わせ縫製した本体。
３・・・レインコート素材に生地を合わせ縫製した本体の背面にテープを取り付けた。
４・・・生地で作った頭から着脱する上着。
５・・・生地で作った頭から着脱する上着の背面。
６・・・本体と上着を組み合わせた。
【手続補正３】
【補正対象書類名】図面
【補正対象項目名】全図
【補正方法】変更
【補正の内容】
【図１】
0003182033.tif 000008
【図２】
0003182033.tif 000009
【図３】
0003182033.tif 000010
【図４】
0003182033.tif 000011
【図５】
0003182033.tif 000012